(57)【要約】【課題】コイルバネを引張状態にして所要部位に簡単に掛止し得るようにするプライヤを提供する。【解決手段】一対の握持杆３ａ，３ｂを開閉可能に軸支してなるプライヤであって、該握持杆３ａ，３ｂの軸支部４より先方の作用部２ａ，２ｂにおける少なくとも一方の挟着面７ａに突起８を長手方向に沿って形成してなる。【選択図】図１
2017164824.tif 000002
【特許請求の範囲】
【請求項１】
一対の握持杆を開閉可能に軸支してなるプライヤであって、該握持杆の軸支部より先方の作用部における少なくとも一方の挟着面に突起を長手方向に沿って形成してなることを特徴とするコイルバネ掛止用プライヤ。
【請求項２】
前記挟着面はコイルバネの外周を両側から包囲し得る形状に形成され、前記突起は該挟着面によってコイルバネが挟持された際に該コイルバネを構成する弾性線材の間に挟入し得る形状に形成されていることを特徴とする請求項１に記載したコイルバネ掛止用プライヤ。
【請求項３】
前記挟着面はコイルバネの外周と略々合致する円弧面状に形成されていることを特徴とする請求項１または２に記載したコイルバネ掛止用プライヤ。
【発明の詳細な説明】
【技術分野】
【０００１】
本発明は、遊技機、日用品、家電品、種々の産業機械等を組み立てるに際し、その一部品であるコイル状のバネを掛止するのに使用するコイルバネ掛止用プライヤに関するものである。
【背景技術】
【０００２】
ペンチ型のプライヤは、一般に一対の握持杆が開閉可能に軸支され、テコ作用によって種々の物品を強い力で挟み得る。従って、例えば、コイルバネを引っ張り状態にて所要部位に掛止する際に従来からプライヤまたはラジオペンチのような挟着工具が使用されている。即ち、コイルバネの一端に形成されたリング状の掛止部を一方の部品に予め形成されたフック状部に掛止した後、該コイルバネの外周をこうした挟着工具によって挟持して該コイルバネを引っ張り、該コイルバネの他端に形成されたリング状の掛止部を他方の部品に予め形成されたフック状部に掛止することにより、該コイルバネを２部品間に引っ張り状態で掛止するようにしている。
【０００３】
下記特許文献１に示された引張コイルバネ用棒状掛止治具は、コイルバネの内周に該掛止治具を摺動可能に嵌合し、該掛止治具の先端に形成された二股状の係合部を該コイルバネの先端の掛止部に係合することにより該コイルバネを伸張させるとともに該掛止部をドラムブレーキ等の所要部所に掛止するものである。
また、下記特許文献２に示された棒状のスプリング掛工具は、スプリング（コイルバネ）の一端の掛止部を一方の部品の係着部に係着した後、該コイルバネの他方のリング状の掛止部に該棒状工具を貫挿するとともに該棒状工具の先端部に形成された引掛凹所を他方の部品の係着部に係合させ、その状態で該引掛凹所を支点として該棒状工具を回転させることで該掛止部を該棒状工具に沿ってスライドさせることにより、該掛止部を該係着部に掛止するものである。
【０００４】
また、下記特許文献３に示されたコイルバネ掛止用ペンチは、ペンチの先端部に側面Ｌ形のクランプ片を左右対称に形成し、該クランプ片の正面に掛止口を形成し、該クランプ片の平面に挿入口を形成してなり、コイルバネの掛止部を該掛止口に挟むことで該掛止部が該挿入口中に現われ、その状態で該掛止部に止ネジを挿入することで該コイルバネを引っ張り状態で装着し得るようにするものである。
【０００５】
なお、下記特許文献４に示されたパチンコ遊技機の役物装置では、大きな可動役物を作動させる搖動部材とベースプレートとの間にコイルバネが引張状態で掛止られ、該コイルバネによって該搖動部材が牽引されることで、該可動役物が大当たりの発生と関連して動くように構成されており、該コイルバネは搖動部材を強く牽引する必要があることから大きな復元力のある強いバネが使用されている。
【先行技術文献】
【特許文献】
【０００６】
【特許文献１】実開平２−１３５１８１号公報
【特許文献２】実開昭４８−６３３９９号公報
【特許文献３】実公平１−３５８２１号公報
【特許文献４】特開２００７−５４５１９号公報
【発明の概要】
【発明が解決しようとする課題】
【０００７】
ところで、従来のように通常のプライヤやラジオペンチ等によりコイルバネの外周を挟持して該コイルバネを引っ張ると、該コイルバネを強く挟んでいないと滑ってしまうおそれがある一方、強く挟みすぎると該コイルバネを変形させてしまうというおそれがあった。このため工具を握る力加減が常に難しく、慣れないとコイルバネを損傷させたり、作業性が著しく悪いという問題があった。特に引用文献４に示されたような役物装置にコイルバネを掛止するにあたっては、強い力で該コイルバネを引っ張る必要があるので、その掛止作業は困難を伴うものであった。
【０００８】
また、特許文献１に示された掛止工具を使用した場合は、コイルバネを所要部所に掛止できた後に該掛止工具を該コイルバネ中から引き抜かなければならないので、手間が掛かるとともに引抜方向に空間がないと使用できないという問題がある。また、特許文献２に示された棒状工具は、コイルバネのフックに該棒状工具を貫挿した後、該棒状工具の先端の引掛凹所を掛止所要部に係合して回転しなければならないので、周囲に該棒状工具を回転し得るような十分な空間がないと使用できないとともに、コイルバネ掛止後に該掛止工具の先端部もまた同所に係合した状態となることから、掛止工具を該部所から外す必要があり、その取外しにも手間も掛かるという問題がある。また、特許文献３に示されたコイルバネ掛止用ペンチは、コイルバネを引っ張る方向に該ペンチが位置し得るような十分な空間がないと使用できないので、使用場所が限定され、狭隘なる部所では使用できないといった問題がある。
【課題を解決するための手段】
【０００９】
本発明に係るコイルバネ掛止用プライヤは上記課題を解決しようとするもので、一対の握持杆を開閉可能に軸支してなるプライヤであって、該握持杆の軸支部より先方の作用部における少なくとも一方の挟着面に突起を長手方向に沿って形成してなることを特徴とする。
また、本発明は上記コイルバネ掛止用プライヤにおいて、前記挟着面はコイルバネの外周を両側から包囲し得る形状に形成され、前記突起は該挟着面によってコイルバネが挟持された際に該コイルバネを構成する弾性線材の間に挟入し得る形状に形成されていることを特徴とする。
このため本発明に係るプライヤでは、コイルバネを軽く挟持するだけで該コイルバネを常に確実に引っ張ることができるとともに、周囲に空間的余裕がない狭隘な部所でも邪魔になることなく使用できる。
また、本発明は上記プライヤにおいて、前記挟着面はコイルバネの外周と略々合致する円弧面状に形成されていることを特徴とする。
このためコイルバネを一層確実に挟持することができる。
【発明の効果】
【００１０】
コイルバネを破損するおそれなく確実に挟持できるので、本発明に係るプライヤを使用することによりコイルバネ掛止作業を効率よく行うことができる。
【図面の簡単な説明】
【００１１】
【図１】本発明に係るコイルバネ掛止用プライヤの斜視図。
【図２】本発明に係るコイルバネ掛止用プライヤの要部の平面図。
【図３】図２のＡ−Ａ線断面拡大図。
【図４】本発明に係るコイルバネ掛止用プライヤの斜視図。
【図５】本発明に係るコイルバネ掛止用プライヤの要部の平面図。
【図６】図５のＢ−Ｂ線断面拡大図。
【図７】コイルバネを掛止する部位の斜視図。
【図８】本発明に係るコイルバネ掛止用プライヤの使用状態を示す斜視図。
【図９】図８の要部の縦断面図。
【図１０】本発明に係るコイルバネ掛止用プライヤの斜視図。
【発明を実施するための形態】
【００１２】
次に本発明の実施形態を図面に従い説明する。図１，図２に示したプライヤ１は、一対の握持杆３ａ，３ｂを軸支部４によって開閉可能に軸支してなり、該握持杆３ａ，３ｂの該軸支部４より先方の作用部２ａ，２ｂにおける先端部５ａ，５ｂと基部６ａ，６ｂとを除く一定長の内面を略長方形に切除することにより、後述するコイルバネの外周を両側から包囲し得る形状に挟着面７ａ，７ｂを形成している。そして、図３にも示したように、一方の挟着面７ａに突起８を長手方向に沿う筋状に形成してなる。
【００１３】
また、図４〜図６に示した本発明に係るプライヤ１は、図１〜図３に示したプライヤ１と同様に一対の握持杆３ａ，３ｂを軸支部４によって開閉可能に軸支してなり、該軸支部４より先方の作用部２ａ，２ｂの先端部５ａ，５ｂと基部６ａ，６ｂとを除く一定長の内面を円弧状に切除することにより、後述するコイルバネの外周と略々合致する円弧面状の挟着面７ａ，７ｂを形成している。そして、一方の挟着面７ａに突起８を長手方向に沿う筋状に形成してなる。
【００１４】
次にこのように構成したプライヤ１の使用方法を説明する。図７に例としてパチンコ遊技機の役物装置１０とこれに装着されるコイルバネ１１を示す。役物装置１０はベースプレート１２に支軸１３によって搖動部材１４が回転動可能に支持され、該ベースプレート１２にフック１５が突設され、搖動部材１４の先端部にはフック１６が突設されている。コイルバネ１１は弾性線材をコイル状に巻回し、両端部にリング状の掛止部１１ａ，１１ｂを形成してなる。
【００１５】
該コイルバネ１１は、図８に示したように、一方の掛止部１１ａをフック１５に掛止した後、本発明に係るプライヤ１の挟着面７ａ，７ｂによって該コイルバネ１１の外周を挟んで該コイルバネ１１を矢印で示した方向に引っ張り、他方の掛止部１１ｂをフック１６に掛け止める。このようにコイルバネ１１を挟着面７ａ，７ｂによって挟んだとき、該コイルバネ１１の外周が先端部５ａ，５ｂと基部６ａ，６ｂとの間に包囲されて該コイルバネ１１が該作用部２ａ，２ｂによって咥えられたような形となり、挟着面７ａに形成された突起８が図９に示したように該コイルバネ１１を構成する弾性線材の間に挟入し、該作用部２ａ，２ｂが該コイルバネ１１に係合する。このため軽い力でコイルバネ１１を挟着してもこの係合が外れることはなく、該コイルバネ１１を強く引っ張ることができ、掛止部１１ｂをフック１６に容易に掛け止ることができる。なおその掛止の際、図８に示したようにベースプレート１２にたとえ立壁１２ａがあったとしても該立壁１２ａが邪魔になることはない。このため、このプライヤ１はこのような狭隘な部所でも使用することができる。そして、コイルバネ１１はフック１５とフック１６との間に引張状態で掛け止められ、搖動部材１４は支軸１３を中心として時計回りに付勢される。
このようにこのプライヤ１を使用することによっては、コイルバネ１１を強く挟着しなくてもコイルバネ１１を引っ張ることができるので、強く挟着して該コイルバネ１１を押し潰し、破損させてしまうようなおそれがない。また、このようにコイルバネ１１を挟着することでは、作業者はプライヤ１を握った手首を動かすだけで該コイルバネ１１の掛止部１１ｂの向きを自由にすることができるので、該掛止部１１ｂをフック１６の向きに容易に合わせられる。このため掛止作業が著しく容易になり作業効率が向上する。
【００１６】
なお、図４〜図６に示したプライヤ１は、挟着面７ａ，７ｂがコイルバネの外周と略々合致する円弧面状に形成され、握持杆３ａ，３ｂを握った際に先端部５ａ，５ｂどうしが当接しコイルバネの外周が該挟着面７ａ，７ｂによって包囲されることから、握持杆３ａ，３ｂが強く握られてもコイルバネを押し潰すおそれがないとともに、突起８が該コイルバネの周囲からより広範囲に該コイルバネの弾性線材間に挟入するので係合がより確実になる。
一方、図１〜図３に示したプライヤ１の挟着面７ａ，７ｂは平面状に形成されているので、該プライヤ１は図示したコイルバネよりもさらに大きい外径または小さい外径のコイルバネを挟持することが可能となる。即ち、図１〜図３に示したプライヤ１は、コイルバネの外径に制限されることなく種々の幅広い外径のコイルバネを掛止するのに使用できる。そして、図１〜図３に示したプライヤ１では、例えば前記基部６ａまたは６ｂの相対する面にコイルバネの外径に合わせて選んだ適当な大きさの小片を予め固着しておくことにより、該小片がストッパとなり、該プライヤ１の作用部２ａ，２ｂの閉角度を制限することができるので、こうすることによっては、このプライヤ１においてもコイルバネに過剰な挟着力が加わりコイルバネが押し潰されるのを防ぐことができる。
【００１７】
なおこの実施形態に示した図では、突起８は長手方向に沿う筋状に形成しているが、長手方向に複数の点状の突起を連なるように形成してもよく、或いは一点鎖線のように間歇的に突起を形成してもよい。
また、挟着しようとするコイルバネのピッチ角に合うように突起８を長手方向に対して僅かに傾斜状に形成してもよい。このように突起８をコイルバネのピッチ角に合うように形成することによっては、該コイルバネを挟着した際に該突起８をよりスムースに弾性線材間に挟入させることができる。
【００１８】
また、本発明に係るプライヤ１は、全体を金属製としてもよいが、ポリアセタール等の合成樹脂によって成形することによっては軽量にできるとともに、突起８が金属製であるよりも滑り易くなるので、コイルバネを挟着した際、該突起８が該コイルバネの弾性線材間に一層スムースに挟入し作業性をより向上させる。
ちなみに、図１０に示した実施形態は、握持杆３ａ，３ｂ等の本体を金属製としたプライヤ１の基部６ａ，６ｂに、挟着面７ａ，７ｂが形成されたポリアセタール製の作用部品２０ａ，２０ｂをビス２１ａ，２１ｂによって交換可能に固着してなるものである。このように構成することによっては、長期間の使用により突起８が摩耗した場合に該作用部品２０ａ，２０ｂを交換することで対処できる利点があるほか、掛け止めようとするコイルバネのピッチ角に応じて突起８が形成された作用部品２０ａ，２０ｂに適宜交換することができる。また、コイルバネの直径に応じて挟着面７ａ，７ｂを形成してなる作用部品２０ａ，２０ｂに交換することもできる。このように、挟着面７ａ，７ｂを有するプライヤ１の基部６ａ，６ｂより先方を交換可能にすることによっては、掛け止めようとするコイルバネの形状や寸法が変わっても対処が容易になり常に使い勝手をよいものにすることができる。
なお、本発明は、図示したプライヤに限らず、例えばラジオペンチのような挟着工具に実施してもよく、要するに工具の名称に拘わらず実施し得る。
【符号の説明】
【００１９】
１…プライヤ、    ２ａ，２ｂ…作用部、    ３ａ，３ｂ…握持杆、    ４…軸支部、    ５ａ，５ｂ…先端部、    ６ａ，６ｂ…基部、    ７ａ，７ｂ…挟着面、    ８…突起、    １０…役物装置、    １１…コイルバネ、    １１ａ，１１ｂ…掛止部、    １２…ベースプレート、    １２ａ…立壁、    １３…支軸、    １４…搖動部材、    １５，１６…フック、    ２０ａ，２０ｂ…作用部品、    ２１ａ，２１ｂ…ビス
【図１】
2017164824.tif 000003
【図２】
2017164824.tif 000004
【図３】
2017164824.tif 000005
【図４】
2017164824.tif 000006
【図５】
2017164824.tif 000007
【図６】
2017164824.tif 000008
【図７】
2017164824.tif 000009
【図８】
2017164824.tif 000010
【図９】
2017164824.tif 000011
【図１０】
2017164824.tif 000012